(57)【要約】【課題】特性インピーダンスのバラツキを抑制して優れた高周波特性を有する高周波リレーを提供すること。【解決手段】高周波リレーが、絶縁性の外部ハウジングと、電磁石部と接点機構部とを有するリレー本体（２０）と、シールド部材（３０）と、を備える。リレー本体（２０）が、板状のリレー端子（２５，２６，２７）を有し、シールド部材（３０）が、リレー本体（２０）を覆うシールド本体（３１）と板状のグランド端子（３２）とを有する。リレー端子（２５，２６，２７）の板面およびグランド端子（３２）の板面が、リレー端子（２５，２６，２７）およびグランド端子（３２）の並列方向に沿ってそれぞれ延びており、相互に隣接するリレー端子（２５，２６，２７）とグランド端子（３２）とが、並列方向において間隔（Ｄ）を空けて配置されている。【選択図】図５
2018152246.tif 000002
【特許請求の範囲】
【請求項１】
リレー本体設置面を有するベースと、前記ベースの前記リレー本体設置面を覆う箱状のケースとを有する絶縁性の外部ハウジングと、
前記外部ハウジングの内部かつ前記ベースの前記リレー本体設置面上に設けられていると共に、電流を供給可能な電磁石部と、前記電磁石部に電流を供給することにより開閉される接点機構部とを有するリレー本体と、
前記外部ハウジングの内部かつ前記ベースの前記リレー本体設置面上に設けられているシールド部材と、
を備え、
前記リレー本体が、
前記リレー本体から前記リレー本体設置面に交差する方向に前記ベースを貫通して前記外部ハウジングの外部まで延びると共に、前記接点機構部に電気的に接続された少なくとも１つの板状のリレー端子を有し、
前記シールド部材が、
前記リレー本体を覆うシールド本体と、
前記シールド本体から前記リレー本体設置面に交差する方向に前記ベースを貫通して前記外部ハウジングの外部まで延びていると共に、前記リレー端子と並列にかつ隣接して配置された少なくとも１つの板状のグランド端子とを有しており
前記リレー端子の板面および前記グランド端子の板面が、前記リレー端子および前記グランド端子の並列方向に沿ってそれぞれ延びており、
相互に隣接する前記リレー端子と前記グランド端子とが、前記並列方向において間隔を空けて配置されている、高周波リレー。
【請求項２】
前記グランド端子が、
前記シールド本体から前記リレー本体設置面に交差する方向に前記ベースを貫通して前記外部ハウジングの外部まで延びている本体部と、
前記本体部から隣接する前記リレー端子に向かって突出する突出部と、
を有している、請求項１に記載の高周波リレー。
【請求項３】
前記突出部が、前記シールド本体から前記リレー本体設置面に交差する方向に前記ベースを貫通して前記外部ハウジングの外部まで延びている、請求項２に記載の高周波リレー。
【発明の詳細な説明】
【技術分野】
【０００１】
本発明は、高周波リレーに関する。
【背景技術】
【０００２】
特許文献１には、コイルへの通電に応じて接点状態が切り替わる接点機構部を内部に有すると共に接点機構部に電気的に接続された端子が底面から突出するように設けられているリレー本体を備えた高周波リレーが開示されている。この高周波リレーでは、アース機能を有する導体層を含むベースおよび蓋体によりリレー本体を覆うことにより、アイソレーション特性の向上を図っている。
【先行技術文献】
【特許文献】
【０００３】
【特許文献１】特開２００３−１３２７７４号公報
【発明の概要】
【発明が解決しようとする課題】
【０００４】
しかし、前記高周波リレーでは、接点オフ状態における接点間の高周波信号漏れ度合いであるアイソレーション特性の向上を図るものであるため、その他の高周波特性の向上については考慮されていない。このため、前記高周波リレーでは、特性インピーダンスのバラツキを抑制して高周波特性の向上を図ることは困難である。
【０００５】
そこで、本発明は、特性インピーダンスのバラツキを抑制して優れた高周波特性を有する高周波リレーを提供することを課題とする。
【課題を解決するための手段】
【０００６】
本発明の高周波リレーは、
リレー本体設置面を有するベースと、前記ベースの前記リレー本体設置面を覆う箱状のケースとを有する絶縁性の外部ハウジングと、
前記外部ハウジングの内部かつ前記ベースの前記リレー本体設置面上に設けられていると共に、電流を供給可能な電磁石部と、前記電磁石部に電流を供給することにより開閉される接点機構部とを有するリレー本体と、
前記外部ハウジングの内部かつ前記ベースの前記リレー本体設置面上に設けられているシールド部材と、
を備え、
前記リレー本体が、
前記リレー本体から前記リレー本体設置面に交差する方向に前記ベースを貫通して前記外部ハウジングの外部まで延びると共に、前記接点機構部に電気的に接続された少なくとも１つの板状のリレー端子を有し、
前記シールド部材が、
前記リレー本体を覆うシールド本体と、
前記シールド本体から前記リレー本体設置面に交差する方向に前記ベースを貫通して前記外部ハウジングの外部まで延びていると共に、前記リレー端子と並列にかつ隣接して配置された少なくとも１つの板状のグランド端子とを有しており
前記リレー端子の板面および前記グランド端子の板面が、前記リレー端子および前記グランド端子の並列方向に沿ってそれぞれ延びており、
相互に隣接する前記リレー端子と前記グランド端子とが、前記並列方向において間隔を空けて配置されている。
【発明の効果】
【０００７】
本発明の高周波リレーによれば、リレー端子の板面とグランド端子の板面とが、リレー端子およびグランド端子の並列方向に沿ってそれぞれ延びており、相互に隣接する前記リレー端子と前記グランド端子とが、並列方向において間隔を空けて配置されている。これにより、特性インピーダンスのバラツキを抑制でき、高周波特性を高めることができる。
【図面の簡単な説明】
【０００８】
【図１】本発明の一実施形態の高周波リレーの斜視図。
【図２】図１の高周波リレーからケースを取り外した状態の斜視図。
【図３】図１の高周波リレーのベースの平面図。
【図４】図１の高周波リレーのリレー本体の電磁石部および接点機構部を示す斜視図。
【図５】図１の高周波リレーのシールド部材で覆われたリレー本体の底面図。
【図６】図１の高周波リレーのシールド部材で覆われたリレー本体の側面図。
【発明を実施するための形態】
【０００９】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１０】
本発明の一実施形態の高周波リレー１は、図１および図２に示すように、絶縁性の外部ハウジング１０と、外部ハウジング１０の内部に設けられたリレー本体２０およびシールド部材３０とを備えている。
【００１１】
外部ハウジング１０は、図２に示すように、リレー本体設置面１１１を有するベース１１と、ベース１１のリレー本体設置面１１１を覆うケース１２とを有している。ベース１１およびケース１２は、絶縁性の樹脂で構成され、シール材（図示せず）によりシールされている。
【００１２】
ベース１１は、図３に示すように、リレー本体設置面１１１に直交する方向に沿った平面視において略矩形状を有している。ベース１１のリレー本体設置面１１１の長手方向に延びる両辺縁部の各々には、４つの第１端子溝１１２と、５つの第２端子溝１１３が設けられている。第１端子溝１１２および第２端子溝１１３は、ベース１１のリレー本体設置面１１１に直交する方向にベース１１を貫通している。また、第１端子溝１１２および第２端子溝１１３は、ベース１１の長手方向に延びる辺に沿って一直線に並び、かつ、隣接する２つの第２端子溝１１３の間に１つの第１端子溝１１２が位置するように配置されている。
【００１３】
なお、各第１端子溝１１２および各第２端子溝１１３は、リレー本体設置面１１１に直交する方向に沿った平面視において、ベース１１の短手方向の長さ（溝幅）は略同一であるが、ベース１１の長手方向の長さ（溝長）は第１端子溝１１２よりも第２端子溝１１３の方が長く構成されている。
【００１４】
ケース１２は、図２に示すように、一面が開口した矩形の中空箱状を有し、ベース１１のリレー本体設置面１１１を被覆可能になっている。
【００１５】
リレー本体２０は、図４に示すように、外部ハウジング１０の内部かつベース１１のリレー本体設置面１１１上に設けられている。このリレー本体２０は、略直方体状の内部ハウジング２１と、内部ハウジング２１内に設けられかつ電流を供給可能な電磁石部２２と、電磁石部２２に電流を供給することにより開閉される接点機構部２３とを有している。
【００１６】
電磁石部２２には、一対の板状のコイル端子２４（図４では一方のみ示す）が電気的に接続されており、一対のコイル端子２４を介して電流が供給される。リレー本体２０の内部ハウジング２１におけるベース１１のリレー本体設置面１１１に対向する面を第１面２１１とし、この第１面２１１に交差する４つの面を第２面２１２、２１３、２１４、２１５とすると、各コイル端子２４は、４つの第２面２１２、２１３、２１４、２１５のうちの内部ハウジング２１の長手方向に延びる第２面２１２、２１３から、ベース１１のリレー本体設置面１１１に交差する方向にベース１１を貫通して、外部ハウジング１０の外部まで延びている。なお、一対のコイル端子２４は、ベース１１のリレー本体設置面１１１の長手方向の一端に配置された第１端子溝１１２に挿入されている。
【００１７】
接点機構部２３は、図４に示すように、内部ハウジング２１の上面（図４の上側の面）において、内部ハウジング２１の短手方向の略中央に配置されかつ内部ハウジング２１の長手方向に延びる矩形板状の可動鉄片２３１と、この可動鉄片２３１の短手方向の両側にそれぞれ配置された一対の矩形板状の可動接触片２３２とを有している。
【００１８】
可動鉄片２３１は、電磁石部２２に電流を供給することにより、内部ハウジング２１の長手方向の中央かつ内部ハウジング２１の短手方向に延びる回動軸２３３を中心に回動可能になっている。可動接触片２３２は、可動鉄片２３１が回動することにより、回動軸２３３を中心に可動鉄片２３１と同じ方向に回動する。可動鉄片２３１の長手方向のベース１１に対向する面の両端には、それぞれ第１可動接点２３４および第２可動接点２３５が設けられている。
【００１９】
また、接点機構部２３は、内部ハウジング２１の内部から第２面２１２を介してベース１１のリレー本体設置面１１１に交差する方向にベース１１を貫通して、外部ハウジング１０の外部まで延びかつ内部ハウジング２１の短手方向の両側にそれぞれ配置されている３対の板状のリレー端子２５，２６，２７（図４では、各対の一方のみを示す）を有している。
【００２０】
各リレー端子２５，２６，２７は、板面が内部ハウジング２１の長手方向（第２面２１２）に沿って延びており、ベース１１のリレー本体設置面１１１の対応する第１端子溝１１２に挿入されている。各リレー端子２５，２６，２７の板面は、その一方が第２面２１２から露出している。また、各リレー端子２５，２６，２７の先端は、ベース１１の短手方向に折り曲げられてベース１１から離れる方向に向かって延びている。
【００２１】
３対のリレー端子２５，２６，２７のうち、コイル端子２４の近くに配置されている一対のリレー端子２５は、可動接触片２３２の第１可動接点２３４に対して接触または開離可能に対向する固定接点（図示せず）に電気的に接続されている。３対のリレー端子２５，２６，２７のうち、コイル端子２４から最も離れて配置されている一対のリレー端子２７は、可動接触片２３２の第２可動接点２３５に対して接触または開離可能に対向する固定接点（図示せず）に電気的に接続されている。また、３対のリレー端子２５，２６，２７の中間に位置する一対のリレー端子２６は、可動接触片２３２に電気的に接続されている。すなわち、各リレー端子２５，２６，２７は、接点機構部２３に電気的に接続されている。
【００２２】
シールド部材３０は、例えば金属製の板で構成されており、図２に示すように、リレー本体２０を覆うシールド本体３１と、シールド本体３１からベース１１をリレー本体設置面１１１に交差する方向に貫通して外部ハウジング１０の外部まで延びている５対のグランド端子３２とを有している。
【００２３】
シールド本体３１は、リレー本体２０の内部ハウジング２１の外形に沿った中空の矩形板状を有している。また、グランド端子３２は、シールド本体３１の短手方向の両側にそれぞれ設けられ、リレー端子２５，２６，２７と並列にかつ隣接してそれぞれ配置されている。
【００２４】
各グランド端子３２は、図５に示すように、シールド本体３１からリレー本体設置面１１１に交差する方向にベース１１を貫通して外部ハウジング１０の外部まで延びている本体部３２１と、この本体部３２１から隣接するリレー端子２５，２６，２７に向かって突出する突出部３２２とを有している。
【００２５】
また、各グランド端子３２は、図６に示すように、板面がシールド本体３１の長手方向に沿って延びており、図２に示すように、ベース１１のリレー本体設置面１１１の対応する第２端子溝１１３に挿入されている。
【００２６】
各リレー端子２５，２６，２７および各グランド端子３２は、その板面がリレー端子２５，２６，２７およびグランド端子３２の並列方向（ベース１１の長手方向）に沿って延びている。詳しくは、リレー本体設置面１１１に直交する方向に沿った平面視において、ベース１１の短手方向における同側に位置するコイル端子２４、リレー端子２５，２６，２７、および、グランド端子３２が、ベース１１の長手方向に延びる仮想直線Ｌ上に並び、かつ、隣接するグランド端子３２の間にコイル端子２４およびリレー端子２５，２６，２７のいずれかが位置するように、略一定の間隔Ｄを空けて配置されている。
【００２７】
なお、この実施形態では、隣接するコイル端子２４、リレー端子２５，２６，２７、および、グランド端子３２は、全て等間隔に配置されており、間隔Ｄを０．３ｍｍとしている。
【００２８】
前記高周波リレー１によれば、リレー端子２５，２６，２７の板面とグランド端子３２の板面とが、リレー端子２５，２６，２７およびグランド端子３２の並列方向に沿って延びており、相互に隣接するリレー端子２５，２６，２７とグランド端子３２とが、その並列方向において間隔Ｄを空けて配置されている。このため、相互に隣接するリレー端子２５，２６，２７とグランド端子３２とを接近あるいは開離させて間隔Ｄを調整することで、特性インピーダンスのバラツキを抑制でき、高周波特性を高めることができる。
【００２９】
また、リレー端子の板面とグランド端子の板面とが並列方向において間隔を空けて配置されていない高周波リレーと比較して、リレー端子２５，２６，２７およびグランド端子３２の並列方向に交差する方向において、省スペース化を図ることができる。すなわち、前記高周波リレー１では、高周波特性を高めつつ、小型化を図ることができる。
【００３０】
また、グランド端子３２が、シールド本体３１からリレー本体設置面１１１に交差する方向にベース１１を貫通して外部ハウジング１０の外部まで延びている本体部３２１と、本体部３２１から隣接するリレー端子２５，２６，２７に向かって突出する突出部３２２と、を有している。これにより、相互に隣接するリレー端子２５，２６，２７とグランド端子３２との間隔Ｄがグランド端子３２の突出部３２２により決定されるので、例えば、リレー端子に突出部を設けて間隔Ｄを決定する高周波リレーと比較して、特性インピーダンスのバラツキを抑制でき、高周波特性を高めることができる。
【００３１】
また、突出部３２２が、シールド本体３１からリレー本体設置面１１１に交差する方向にベース１１を貫通して外部ハウジング１０の外部まで延びている。これにより、例えば、突出部がベースを貫通していない高周波リレーと比較して、相互に隣接するリレー端子２５，２６，２７とグランド端子３２とを接近あるいは開離させることにより間隔Ｄが調整される範囲が大きくなるので、特性インピーダンスのバラツキを抑制でき、高周波特性を高めることができる。
【００３２】
なお、間隔Ｄは、高周波リレー１の設計等に応じて決定され、０．３ｍｍに限定されない。また、間隔Ｄは、略一定に限らず、例えば、０．１ｍｍから０．３ｍｍの間で規則的に、あるいは、ランダムに変動するものであってもよい。
【００３３】
リレー端子２５，２６，２７およびグランド端子３２は、それぞれ少なくとも１つあればよい。高周波リレーの設計等に応じて、任意の数のリレー端子およびグランド端子を設けることができる。
【００３４】
以上、図面を参照して本発明における種々の実施形態を詳細に説明したが、最後に、本発明の種々の態様について説明する。
【００３５】
本発明の第１態様の高周波リレーは、
リレー本体設置面を有するベースと、前記ベースの前記リレー本体設置面を覆う箱状のケースとを有する絶縁性の外部ハウジングと、
前記外部ハウジングの内部かつ前記ベースの前記リレー本体設置面上に設けられていると共に、電流を供給可能な電磁石部と、前記電磁石部に電流を供給することにより開閉される接点機構部とを有するリレー本体と、
前記外部ハウジングの内部かつ前記ベースの前記リレー本体設置面上に設けられているシールド部材と、
を備え、
前記リレー本体が、
前記リレー本体から前記リレー本体設置面に交差する方向に前記ベースを貫通して前記外部ハウジングの外部まで延びると共に、前記接点機構部に電気的に接続された少なくとも１つの板状のリレー端子を有し、
前記シールド部材が、
前記リレー本体を覆うシールド本体と、
前記シールド本体から前記リレー本体設置面に交差する方向に前記ベースを貫通して前記外部ハウジングの外部まで延びていると共に、前記リレー端子と並列にかつ隣接して配置された少なくとも１つの板状のグランド端子とを有しており
前記リレー端子の板面および前記グランド端子の板面が、前記リレー端子および前記グランド端子の並列方向に沿ってそれぞれ延びており、
相互に隣接する前記リレー端子と前記グランド端子とが、前記並列方向において間隔を空けて配置されている。
【００３６】
第１態様の高周波リレーでは、リレー端子の板面とグランド端子の板面とが、リレー端子およびグランド端子の並列方向に沿ってそれぞれ延びており、相互に隣接する前記リレー端子と前記グランド端子とが、並列方向において間隔を空けて配置されている。これにより、特性インピーダンスのバラツキを抑制でき、高周波特性を高めることができる。
【００３７】
本発明の第２態様の高周波リレーは、
前記グランド端子が、
前記シールド本体から前記リレー本体設置面に交差する方向に前記ベースを貫通して前記外部ハウジングの外部まで延びている本体部と、
前記本体部から隣接する前記リレー端子に向かって突出する突出部と、
を有している。
【００３８】
第２態様の高周波リレーでは、相互に隣接するリレー端子とグランド端子との間隔がグランド端子の突出部によりされるので、例えば、リレー端子に突出部を設けて間隔を決定する高周波リレーと比較して、特性インピーダンスのバラツキを抑制でき、高周波特性を高めることができる。
【００３９】
本発明の第３態様の高周波リレーは、
前記突出部が、前記シールド本体から前記リレー本体設置面に交差する方向に前記ベースを貫通して前記外部ハウジングの外部まで延びている。
【００４０】
第３態様の高周波リレーでは、グランド端子の突出部が、シールド本体からリレー本体設置面に交差する方向にベースを貫通して外部ハウジング１０の外部まで延びている。このため、例えば、突出部がベースを貫通していない高周波リレーと比較して、特性インピーダンスのバラツキを抑制でき、高周波特性を高めることができる。
【００４１】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００４２】
本発明の高周波リレーは、例えば、無線中継装置に適用できる。
【符号の説明】
【００４３】
１  高周波リレー
１０  外部ハウジング
１１  ベース
１１１  リレー本体設置面
１１２  第１端子溝
１１３  第２端子溝
２０  リレー本体
２１  内部ハウジング
２１１  第１面
２１２  第２面
２２  電磁石部
２３  接点機構部
２３１  可動鉄片
２３２  可動接触片
２３３  回動軸
２３４  第１可動接点
２３５  第２可動接点
２４  コイル端子
２５，２６，２７  リレー端子
３０  シールド部材
３１  シールド本体
３２  グランド端子
３２１  本体部
３２２  突出部
Ｄ  間隔
【図１】
2018152246.tif 000003
【図２】
2018152246.tif 000004
【図３】
2018152246.tif 000005
【図４】
2018152246.tif 000006
【図５】
2018152246.tif 000007
【図６】
2018152246.tif 000008